(57)【要約】【課題】ユーザーの利便性を向上する。【解決手段】本発明に係る給油制御システム１００は、カメラ３と、給油制御装置（第１端末装置１及び第２端末装置２）とを備える。第１端末装置１は、カメラ３及び第２端末装置２と通信可能に接続される。カメラ３は、車両の車番に対応する画像を生成する。給油制御装置は、第２給油条件ＣＳ２を決定する。第１端末装置１は、第１取得部１１１と、条件記憶部１１４とを備える。第２端末装置２は、決定部２１４を備える。取得部１１１は、カメラ３から車両の車番情報ＮＪを取得する。条件記憶部１１４は、車両の車番情報ＮＪと第１給油条件情報ＣＳ１Ｊとを対応付けて記憶する。決定部２１４は、車両の車番情報ＮＪに対応する第１給油条件情報ＣＳ１Ｊに基づいて、第２給油条件ＣＳ２を決定する。第１給油条件情報ＣＳ１Ｊは、第１給油条件ＣＳ１を示す。【選択図】図２
2020019515.tif 000002
【特許請求の範囲】
【請求項１】
ユーザー情報を取得する取得部と、
前記ユーザー情報と第１給油条件情報とを対応付けて記憶する条件記憶部と、
前記ユーザー情報に対応する前記第１給油条件情報に基づいて、第２給油条件を決定する決定部と
を備え、
前記第１給油条件情報は、第１給油条件を示す、給油制御装置。
【請求項２】
前記ユーザー情報は、車両の車番情報、及びユーザー識別情報の少なくとも一方を含む、請求項１に記載の給油制御装置。
【請求項３】
前記ユーザー識別情報は、ユーザーの所有するカードを識別するカード識別情報を含む、請求項２に記載の給油制御装置。
【請求項４】
前記ユーザー識別情報は、ユーザーの人体を識別する人体識別情報を含む、請求項２又は請求項３に記載の給油制御装置。
【請求項５】
前記第１給油条件及び前記第２給油条件の各々は、給油量及び支払方法の少なくとも一方を含む、請求項１から請求項４のいずれか１項に記載の給油制御装置。
【請求項６】
前記条件記憶部は、前記ユーザー情報と複数の前記第１給油条件情報とを対応付けて記憶し、
前記複数の前記第１給油条件情報の各々は、複数回の前記第１給油条件の各々に対応する、請求項１から請求項５のいずれか１項に記載の給油制御装置。
【請求項７】
前記複数の第１給油条件情報の中から１つの第１給油条件情報を選択する選択部を更に備え、
前記決定部は、前記１つの第１給油条件情報に基づいて、前記第２給油条件を決定する、請求項６に記載の給油制御装置。
【請求項８】
ディスプレイに複数の給油条件を示す第１画像を表示する表示制御部を更に備え、
前記表示制御部は、第２画像を強調表示する、
前記第２画像は、前記第１画像に示された複数の給油条件のうちの前記選択部が選択した第１給油条件に対応する、請求項７に記載の給油制御装置。
【請求項９】
車両の車番に対応する画像を生成するカメラと、
第２給油条件を決定する給油制御装置と
を備え、
前記給油制御装置は、
前記カメラから前記車両の車番情報を取得する取得部と、
前記車両の車番情報と第１給油条件情報とを対応付けて記憶する条件記憶部と、
前記車両の車番情報に対応する前記第１給油条件情報に基づいて、前記第２給油条件を決定する決定部と
を備え、
前記第１給油条件情報は、第１給油条件を示す、給油制御システム。
【発明の詳細な説明】
【技術分野】
【０００１】
本発明は、給油制御装置、及び給油制御システムに関する。
【背景技術】
【０００２】
特許文献１に記載された車両誘導装置は、車番取得部と、顧客情報記憶部と、誘導部とを備える。車番取得部は、車両の車番を取得する。顧客情報記憶部は、車番情報と油種情報とを対応付けて記憶する。車番取得部が取得した車番が顧客情報記憶部に記憶されている場合には、誘導部が車両を給油機に誘導する。誘導部は、取得した車番に対応する油種の給油機に車両を誘導する。
【先行技術文献】
【特許文献】
【０００３】
【特許文献１】特開２００１−２２５９００号公報
【発明の概要】
【発明が解決しようとする課題】
【０００４】
しかしながら、特許文献１に記載された車両誘導装置では、ユーザーの利便性の観点において向上する余地がある。
【０００５】
本発明は、上記課題に鑑みてなされたものであり、ユーザーの利便性を向上可能な給油制御装置、及び給油制御システムを提供することを目的としている。
【課題を解決するための手段】
【０００６】
本発明に係る給油制御装置は、取得部と、条件記憶部と、決定部とを備える。前記取得部は、ユーザー情報を取得する。前記条件記憶部は、前記ユーザー情報と第１給油条件情報とを対応付けて記憶する。前記決定部は、前記ユーザー情報に対応する前記第１給油条件情報に基づいて、第２給油条件を決定する。前記第１給油条件情報は、第１給油条件を示す。
【０００７】
本発明に係る給油制御システムは、カメラと、給油制御装置とを備える。前記カメラは、車両の車番に対応する画像を生成する。前記給油制御装置は、第２給油条件を決定する。前記給油制御装置は、取得部と、条件記憶部と、決定部とを備える。前記取得部は、前記カメラから前記車両の車番情報を取得する。前記条件記憶部は、前記車両の車番情報と第１給油条件情報とを対応付けて記憶する。前記決定部は、前記車両の車番情報に対応する前記第１給油条件情報に基づいて、前記第２給油条件を決定する。前記第１給油条件情報は、第１給油条件を示す。
【発明の効果】
【０００８】
本発明に係る給油制御装置、及び給油制御システムによれば、ユーザーの利便性を向上できる。
【図面の簡単な説明】
【０００９】
【図１】本発明の実施形態に係る給油制御システムの構成の一例を示す図である。
【図２】第１制御部及び第２制御部の構成の一例を示す図である。
【図３】前回条件表示画面の一例を示す画面図である。
【図４】油種選択画面の一例を示す画面図である。
【図５】給油量選択画面の一例を示す画面図である。
【図６】支払方法選択画面の一例を示す画面図である。
【図７】第１制御部及び第２制御部の処理の一例を示すフローチャートである。
【図８】第１制御部及び第２制御部の処理の一例を示すフローチャートである。
【発明を実施するための形態】
【００１０】
以下、本発明の実施形態について、図面（図１〜図８）を参照しながら説明する。なお、図中、同一又は相当部分については同一の参照符号を付して説明を繰り返さない。
【００１１】
まず、図１を参照して、本発明の実施形態に係る給油制御システム１００の構成について説明する。図１は、給油制御システム１００の構成の一例を示す図である。図１に示すように、給油制御システム１００は、第１端末装置１と、第２端末装置２と、カメラ３と、給油機４とを備える。
【００１２】
第１端末装置１は、例えば、ガソリンスタンドの店舗内に配置される。第１端末装置１は、第２端末装置２及びカメラ３と通信可能に接続される。第１端末装置１は、例えばパーソナルコンピュータで構成される。第１端末装置１は、「給油制御装置」の一部に相当する。第１端末装置１は、第１制御部１１と、操作部１２と、ディスプレイ１３とを備える。
【００１３】
第１制御部１１は、ＣＰＵ（Ｃｅｎｔｒａｌ  Ｐｒｏｃｅｓｓｉｎｇ  Ｕｎｉｔ）のようなプロセッサ１１Ａと、記憶装置１１Ｂとを含む。記憶装置１１Ｂは、半導体メモリーを含む。記憶装置１１Ｂは、ハードディスクドライブ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）を備えてもよい。記憶装置１１Ｂは、制御プログラムを記憶する。第１制御部１１のプロセッサ１１Ａは、制御プログラムを実行して、各種の処理を実行する。
【００１４】
操作部１２は、ユーザーの操作を受け付ける。ユーザーは、例えばガソリンスタンドの店員である。操作部１２は、例えばキーボード、及びマウスを含む。操作部１２は、操作信号を第１制御部１１に伝送する。操作信号は、ユーザーの操作に対応する信号を示す。
【００１５】
ディスプレイ１３は、第１制御部１１の指示にしたがって種々の情報を表示する。ディスプレイ１３は、例えばＬＣＤ（Ｌｉｑｕｉｄ  Ｃｒｙｓｔａｌ  Ｄｉｓｐｌａｙ）を含む。
【００１６】
第２端末装置２は、給油機４に近接して配置される。第２端末装置２は、第１端末装置１及び給油機４と通信可能に接続される。第２端末装置２は、例えばタブレット型コンピュータで構成される。第２端末装置２は、「給油制御装置」の一部に相当する。すなわち、「給油制御装置」は、本発明の実施形態では、第１端末装置１と第２端末装置２とで構成される。
【００１７】
第２端末装置２は、第２端末装置２Ａと、第２端末装置２Ｂと、第２端末装置２Ｃとを含む。第２端末装置２Ａと、第２端末装置２Ｂと、第２端末装置２Ｃとは、互いに略同一の構成を有する。以下の説明では、第２端末装置２Ａについて説明する。第２端末装置２Ａは、第２制御部２１と、操作部２２と、ディスプレイ２３と、タッチパネル２４と、カードリーダ２５とを備える。
【００１８】
第２制御部２１は、ＣＰＵのようなプロセッサ２１Ａと、記憶装置２１Ｂとを含む。記憶装置２１Ｂは、半導体メモリーを含む。記憶装置２１Ｂは、ハードディスクドライブを備えてもよい。記憶装置２１Ｂは、制御プログラムを記憶する。第２制御部２１のプロセッサ２１Ａは、制御プログラムを実行して、各種の処理を実行する。
【００１９】
操作部２２は、ユーザーの操作を受け付ける。ユーザーは、例えばガソリンスタンドの顧客である。操作部２２は、例えばテンキーを含む。操作部２２は、操作信号を第２制御部２１に伝送する。操作信号は、ユーザーの操作に対応する信号を示す。
【００２０】
ディスプレイ２３は、例えば、ＬＣＤを備え、種々の画像を表示する。タッチパネル２４は、タッチセンサーを備える。タッチセンサーは、ユーザーからの操作を受け付ける。タッチセンサーは、例えばディスプレイ２３の表示面上に配置される。
【００２１】
カードリーダ２５は、クレジットカード及び顧客カードを読み取る。顧客カードは、ガソリンスタンドの店舗が顧客に対して発行するカードである。顧客カードには、顧客を識別する識別情報が記憶されている。
【００２２】
カメラ３は、車両の車番に対応する画像を生成する。カメラ３は、道路からガソリンスタンドの敷地内に車両が入る際に、その車両の車番に対応する画像を生成する。カメラ３は、例えばＣＣＤ（Ｃｈａｒｇｅ  Ｃｏｕｐｌｅｄ  Ｄｅｖｉｃｅ）を含む。カメラ３は、画像に対応する画像情報を第１端末装置１に伝送する。
【００２３】
給油機４は、ガソリン及び軽油を車両に供給する。ユーザーは、ユーザーが選択した油種ＳＬに対応する給油レバーを車両の給油口に差し込み、給油レバーを握ることによって給油を行う。油種ＳＬは、第２端末装置２を介してユーザーが選択する。給油機４は、給油レバーから給送される給油量ＱＬをカウントし、給油量ＱＬを表示する。給油が終了すると、給油レバーが所定の場所に懸架される。給油機４は、給油終了時の給油量ＱＬを第２端末装置２に伝送する。また、給油機４は、現金での決済が可能な現金支払機を備える。
【００２４】
給油機４は、給油機４Ａと、給油機４Ｂと、給油機４Ｃとを含む。第２端末装置２Ａは、給油機４Ａと通信可能に接続され、給油機４Ａの動作を制御する。第２端末装置２Ｂは、給油機４Ｂと通信可能に接続され、給油機４Ｂの動作を制御する。第２端末装置２Ｃは、給油機４Ｃと通信可能に接続され、給油機４Ｃの動作を制御する。
【００２５】
なお、図１を参照して説明したように、本発明の実施形態では、第２端末装置２が、第２端末装置２Ａ、第２端末装置２Ｂ及び第２端末装置２Ｃを含むが、本発明はこれに限定されない。第２端末装置２が、少なくとも１台の第２端末装置を含めばよい。例えば、第２端末装置２が、１台の第２端末装置（例えば、第２端末装置２Ａ）だけで構成されていてもよいし、第２端末装置２が、２台の第２端末装置（例えば、第２端末装置２Ａ及び第２端末装置２Ｂ）で構成されていてもよい。また、第２端末装置２が、４台以上の第２端末装置を含んでもよい。
【００２６】
また、本発明の実施形態では、給油機４が、給油機４Ａ、給油機４Ｂ及び給油機４Ｃを含むが、本発明はこれに限定されない。給油機４が、少なくとも１台の給油機を含めばよい。例えば、給油機４が、１台の給油機（例えば、給油機４Ａ）だけで構成されていてもよいし、給油機４が、２台の給油機（例えば、給油機４Ａ及び給油機４Ｂ）で構成されていてもよい。また、給油機４が、４台以上の給油機を含んでもよい。
【００２７】
次に、図１及び図２を参照して、第１制御部１１及び第２制御部２１の構成について更に説明する。図２は、第１制御部１１及び第２制御部２１の構成の一例を示す図である。図２に示すように、第１制御部１１は、第１取得部１１１、車番生成部１１２、選択部１１３及び条件記憶部１１４を備える。具体的には、第１制御部１１のプロセッサ１１Ａは、制御プログラムを実行することによって、第１取得部１１１、車番生成部１１２及び選択部１１３として機能し、記憶装置１１Ｂを、条件記憶部１１４として機能させる。
【００２８】
第２制御部２１は、第２取得部２１１、表示制御部２１２、条件受付部２１３、決定部２１４及び給油制御部２１５を備える。具体的には、第２制御部２１のプロセッサ２１Ａは、制御プログラムを実行することによって、第２取得部２１１、表示制御部２１２、条件受付部２１３、決定部２１４及び給油制御部２１５として機能する。
【００２９】
条件記憶部１１４は、ユーザー情報ＵＪと複数の第１給油条件情報ＣＳ１Ｊとを対応付けて記憶する。複数の第１給油条件情報ＣＳ１Ｊの各々は、複数回の第１給油条件ＣＳ１の各々に対応する。ユーザー情報ＵＪは、ユーザーが運転する車両の車番情報ＪＮと、ユーザーの所有するカードを識別するカード識別情報ＣＤＪとを含む。第１給油条件情報ＣＳ１Ｊは、第１給油条件ＣＳ１を示す。第１給油条件ＣＳ１は、給油年月日、油種ＳＬ、給油量ＱＬ、給油指定金額、満タン給油、及び支払方法ＭＬを含む。
【００３０】
第１取得部１１１は、カメラ３が生成した車番画像ＭＮの画像情報を取得する。車番画像ＭＮは、車両の車番に対応する。
【００３１】
車番生成部１１２は、第１取得部１１１が取得した画像情報に対して画像処理を実行し、車番情報ＪＮを生成する。車番情報ＪＮは、車番を示す。
【００３２】
選択部１１３は、ユーザー情報ＵＪに対応する複数の第１給油条件情報ＣＳ１Ｊの中から１つの第１給油条件情報ＣＳ１Ｊを選択する。具体的には、選択部１１３は、車番情報ＪＮ又はカード識別情報ＣＤＪに対応する第１給油条件情報ＣＳ１Ｊが条件記憶部１１４に記憶されているか否かを判定する。そして、選択部１１３は、車番情報ＪＮ又はカード識別情報ＣＤＪに対応する複数の第１給油条件情報ＣＳ１Ｊの中から１つの第１給油条件情報ＣＳ１Ｊを選択する。更に具体的には、選択部１１３は、例えば複数の第１給油条件情報ＣＳ１Ｊの中から前回の第１給油条件情報ＣＳ１Ｊを選択する。前回の第１給油条件情報ＣＳ１Ｊは、給油年月日の最も新しい第１給油条件情報ＣＳ１Ｊを示す。
【００３３】
第２取得部２１１は、カードリーダ２５を介して、カード識別情報ＣＤＪを取得する。カード識別情報ＣＤＪは、カードを所有するユーザーを識別する情報を示す。カード識別情報ＣＤＪは、「ユーザー識別情報ＵＤＪ」の一例に相当する。また、カード識別情報ＣＤＪは、「ユーザー情報ＵＪ」の一例に相当する。
【００３４】
表示制御部２１２は、タッチパネル２４からの操作に応じて、ディスプレイ２３に種々の画像を表示する。具体的には、表示制御部２１２は、前回条件表示画面５００、油種選択画面５１０、給油量選択画面５２０及び支払方法選択画面５３０をディスプレイ２３に表示する。前回条件表示画面５００、油種選択画面５１０、給油量選択画面５２０及び支払方法選択画面５３０については、後述にて図３〜図６を参照して詳細に説明する。
【００３５】
条件受付部２１３は、タッチパネル２４及び操作部２２からの操作に応じて、第２給油条件ＣＳ２を受け付ける。具体的には、条件受付部２１３は、表示制御部２１２がディスプレイ２３に表示する種々の画面に対するユーザーの操作に応じて、第２給油条件ＣＳ２を受け付ける。条件受付部２１３の処理については、後述にて図３〜図６を参照して詳細に説明する。
【００３６】
決定部２１４は、選択部１１３が選択した１つの第１給油条件情報ＣＳ１Ｊに基づいて、第２給油条件ＣＳ２を決定する。すなわち、決定部２１４は、前回の第１給油条件情報ＣＳ１Ｊに基づいて、第２給油条件ＣＳ２を決定する。また、決定部２１４は、第２給油条件ＣＳ２を、条件受付部２１３が受け付けた第２給油条件ＣＳ２に決定する。決定部２１４の処理については、後述にて図３〜図６を参照して詳細に説明する。なお、以下の説明において、第１給油条件情報ＣＳ１と第２給油条件ＣＳ２とを、給油条件ＣＳと総称する場合がある。
【００３７】
給油制御部２１５は、決定部２１４が決定した第２給油条件ＣＳ２に基づいて、給油機４を制御する。
【００３８】
以上、図１及び図２を参照して説明したように、本発明の実施形態では、条件記憶部１１４に記憶された第１給油条件情報ＣＳ１Ｊのうちのユーザー情報ＵＪに対応する第１給油条件情報ＣＳ１Ｊに基づいて、第２給油条件ＣＳ２を決定する。よって、ユーザーが所望する第２給油条件ＣＳ２を容易に決定できる。したがって、ユーザーの利便性を向上できる。
【００３９】
また、ユーザー情報ＵＪは、車両の車番情報ＪＮ、及びカード識別情報ＣＤＪを含む。車両の車番情報ＪＮは、ユーザーが運転する車両を識別する情報を示す。カード識別情報ＣＤＪは、カードを所有するユーザーを識別する情報を示す。よって、更に適切な第２給油条件ＣＳ２を決定できる。したがって、ユーザーの利便性を更に向上できる。
【００４０】
また、条件記憶部１１４は、ユーザー情報ＵＪと複数の第１給油条件情報ＣＳ１Ｊとを対応付けて記憶する。複数の第１給油条件情報ＣＳ１Ｊの各々は、複数回の第１給油条件ＣＳ１の各々に対応する。よって、複数回の第１給油条件ＣＳ１に基づいて第２給油条件ＣＳ２を決定できる。したがって、更に適切な第２給油条件ＣＳ２を決定できる。
【００４１】
なお、本発明の実施形態では、ユーザー情報ＵＪは、車両の車番情報ＪＮ、及びカード識別情報ＣＤＪを含むが、本発明はこれに限定されない。ユーザー情報ＵＪは、車両の車番情報ＪＮ、及びユーザー識別情報ＵＤＪの少なくとも一方を含めばよい。例えば、ユーザー情報ＵＪが、車両の車番情報ＪＮのみで構成されてもよいし、ユーザー情報ＵＪが、ユーザー識別情報ＵＤＪのみで構成されてもよい。
【００４２】
また、本発明の実施形態では、ユーザー識別情報ＵＤＪがカード識別情報ＣＤＪであるが、本発明はこれに限定されない。ユーザー識別情報ＵＤＪがユーザーを識別可能な情報であればよい。例えば、ユーザー識別情報ＵＤＪが、ユーザーの人体を識別する人体識別情報でもよい。この場合には、ユーザーを確実に特定できるため、更に適切な第２給油条件ＣＳ２を決定できる。したがって、ユーザーの利便性を更に向上できる。
【００４３】
人体識別情報は、指紋情報、網膜情報、虹彩情報、静脈情報、及び顔画像情報の少なくとも１つを含む。ユーザー識別情報ＵＤＪが指紋情報である場合には、第２端末装置２は、ユーザーの指紋を検出する指紋検出器を備える。ユーザー識別情報ＵＤＪが網膜情報である場合には、第２端末装置２は、ユーザーの網膜の画像を生成するカメラを備える。ユーザー識別情報ＵＤＪが虹彩情報である場合には、第２端末装置２は、ユーザーの虹彩の画像を生成するカメラを備える。ユーザー識別情報ＵＤＪが静脈情報である場合には、第２端末装置２は、ユーザーの静脈の画像を生成するカメラを備える。ユーザー識別情報ＵＤＪが顔画像情報である場合には、第２端末装置２は、ユーザーの顔の画像を生成するカメラを備える。
【００４４】
次に、図２及び図３を参照して、第１制御部１１及び第２制御部２１の処理について更に説明する。図３は、前回条件表示画面５００の一例を示す画面図である。図３に示すように、前回条件表示画面５００は、タイトル表示部５０１と、説明表示部５０２と、はいボタン５０３と、いいえボタン５０４と、前回条件表示部５０５とを含む。前回条件表示画面５００は、表示制御部２１２によってディスプレイ２３に表示される。
【００４５】
タイトル表示部５０１には、画面のタイトルが表示される。具体的には、タイトル表示部５０１には、「前回条件表示画面」と表示される。
【００４６】
説明表示部５０２には、操作方法に関する説明が表示される。具体的には、説明表示部５０２には、「前回の給油条件を表示しています。今回も前回と同じ給油条件ですか？」と表示される。
【００４７】
はいボタン５０３は、今回も前回と同じ給油条件ＣＳで給油を実行する場合に、ユーザーによってタッチされる。はいボタン５０３がユーザーによってタッチされた場合には、決定部２１４は、第２給油条件ＣＳ２を前回と同じ第１給油条件ＣＳ１に決定する。そして、給油制御部２１５は、決定部２１４が決定した第２給油条件ＣＳ２に基づいて、給油機４を制御する。
【００４８】
いいえボタン５０４は、今回は前回と同じ給油条件ＣＳで給油を実行しない場合に、ユーザーによってタッチされる。いいえボタン５０４がユーザーによってタッチされた場合には、表示制御部２１２は、油種選択画面５１０、給油量選択画面５２０及び支払方法選択画面５３０を順次ディスプレイ２３に表示する。油種選択画面５１０、給油量選択画面５２０及び支払方法選択画面５３０については、後述にて図４〜図６を参照して詳細に説明する。
【００４９】
前回条件表示部５０５には、前回の第１給油条件ＣＳ１が表示される。具体的には、前回条件表示部５０５には、前回の第１給油条件ＣＳ１が「油種：レギュラー、油量：満タン、支払方法：クレジットカード、カード番号：１２３４−５６７８−９０１２−ＸＸＸＸ」と表示されている。第１給油条件ＣＳ１及び第２給油条件ＣＳ２の各々は、油種ＳＬと、給油量ＱＬと、支払方法ＭＬとを含む。カード番号は、前回の給油時に使用されたクレジットカードのカード番号を示す。
【００５０】
以上、図２及び図３を参照して説明したように、本発明の実施形態では、第１給油条件ＣＳ１及び第２給油条件ＣＳ２の各々は、給油量ＱＬと支払方法ＭＬとを含む。よって、更に適切な第２給油条件ＣＳ２を決定できる。したがって、ユーザーの利便性を更に向上できる。
【００５１】
なお、本発明の実施形態では、第１給油条件ＣＳ１及び第２給油条件ＣＳ２の各々は、給油量ＱＬと支払方法ＭＬとを含むが、本発明はこれに限定されない。第１給油条件ＣＳ１及び第２給油条件ＣＳ２の各々が給油量ＱＬ及び支払方法ＭＬの少なくとも一方を含めばよい。例えば、第１給油条件ＣＳ１及び第２給油条件ＣＳ２の各々が給油量ＱＬを含み、支払方法ＭＬを含まなくてもよい。また、例えば、第１給油条件ＣＳ１及び第２給油条件ＣＳ２の各々が支払方法ＭＬを含み、給油量ＱＬを含まなくてもよい。
【００５２】
また、本発明の実施形態では、表示制御部２１２が、前回の第１給油条件ＣＳ１を表示するが、本発明はこれに限定されない。表示制御部２１２が、ユーザー情報ＵＪに対応する第１給油条件ＣＳ１を表示すればよい。例えば、表示制御部２１２が、前回の第１給油条件ＣＳ１、前々回の第１給油条件ＣＳ１及び前々回の前の回の第１給油条件ＣＳ１を選択可能に表示してもよい。
【００５３】
また、例えば、ユーザー情報ＵＪに対応する複数の第１給油条件ＣＳ１の年月日情報を選択可能に表示してもよい。また、ユーザー情報ＵＪに対応する複数の第１給油条件ＣＳ１の一覧表を選択可能に表示してもよい。ユーザー情報ＵＪに対応する第１給油条件ＣＳ１の個数が多い場合には、一覧表をスクロール可能に表示してもよいし、一覧表を改ページ可能に表示してもよい。個数が多い場合とは、例えば、個数が１０個以上である場合である。また、ユーザー情報ＵＪに対応する第１給油条件ＣＳ１の個数が多い場合には、期間を指定して第１給油条件ＣＳ１を表示してもよい。例えば、直近１年の第１給油条件ＣＳ１を表示してもよい。
【００５４】
次に、図２〜図４を参照して、第１制御部１１及び第２制御部２１の処理について更に説明する。図４は、油種選択画面５１０の一例を示す画面図である。図４に示すように、油種選択画面５１０は、タイトル表示部５１１と、説明表示部５１２と、ハイオクボタン５１３と、レギュラーボタン５１４と、軽油ボタン５１５と、備考表示部５１６とを含む。油種選択画面５１０は、表示制御部２１２によってディスプレイ２３に表示される。
【００５５】
タイトル表示部５１１には、画面のタイトルが表示される。具体的には、タイトル表示部５１１には、「油種選択画面」と表示される。
【００５６】
説明表示部５１２には、操作方法に関する説明が表示される。具体的には、説明表示部５１２には、「油種を選択してください。」と表示される。
【００５７】
ハイオクボタン５１３は、ハイオクを給油する場合に、ユーザーによってタッチされる。ハイオクボタン５１３がユーザーによってタッチされた場合には、決定部２１４は、油種ＳＬをハイオクガソリンに決定する。そして、給油制御部２１５は、給油機４に対して、ハイオクガソリンを給油するための給油レバーからの給油を可能にする。
【００５８】
レギュラーボタン５１４は、レギュラーを給油する場合にユーザーによってタッチされる。レギュラーボタン５１４がユーザーによってタッチされた場合には、決定部２１４は、油種ＳＬをレギュラーガソリンに決定する。そして、給油制御部２１５は、給油機４に対して、レギュラーガソリンを給油するための給油レバーからの給油を可能にする。
【００５９】
軽油ボタン５１５は、軽油を給油する場合にユーザーによってタッチされる。軽油ボタン５１５がユーザーによってタッチされた場合には、決定部２１４は、油種ＳＬを軽油に決定する。そして、給油制御部２１５は、給油機４に対して、軽油を給油するための給油レバーからの給油を可能にする。
【００６０】
備考表示部５１６には、画面に関する説明が表示される。具体的には、備考表示部５１６には、「前回選択したものは太枠で表示されています。」と表示される。前回は、レギュラーガソリンが給油されたため、レギュラーボタン５１４が太枠で表示されている。
【００６１】
油種選択画面５１０を表示するために第２制御部２１が実行する処理について以下に説明する。表示制御部２１２は、ディスプレイ２３に複数の給油条件ＣＳを示す第１画像Ｍ１を表示する。油種選択画面５１０では、複数の給油条件ＣＳは、複数の油種ＳＬを示す。油種選択画面５１０では、第１画像Ｍ１は、ハイオクボタン５１３、レギュラーボタン５１４及び軽油ボタン５１５に対応する。そして、表示制御部２１２は、第２画像Ｍ２を強調表示する。第２画像Ｍ２は、第１画像Ｍ１に示された複数の給油条件ＣＳのうちの選択部１１３が選択した第１給油条件ＣＳ１に対応する。油種選択画面５１０では、第２画像Ｍ２は、レギュラーボタン５１４に対応する。選択部１１３が選択した第１給油条件ＣＳ１は、前回の第１給油条件ＣＳ１を示す。「強調表示」は、太枠表示に対応する。
【００６２】
以上、図２〜図４を参照して説明したように、表示制御部２１２は、ディスプレイ２３に複数の給油条件ＣＳを示す第１画像Ｍ１を表示する。そして、表示制御部２１２は、第２画像Ｍ２を強調表示する。第２画像Ｍ２は、第１画像Ｍ１に示された複数の給油条件ＣＳのうちの選択部１１３が選択した第１給油条件ＣＳ１に対応する。よって、ユーザーは、選択部１１３が選択した第１給油条件ＣＳ１を容易に選択できる。したがって、ユーザーは、適切な給油条件ＣＳを容易に選択できる。その結果、ユーザーの利便性を更に向上できる。
【００６３】
具体的には、表示制御部２１２は、油種ＳＬを示す複数の第１画像Ｍ１を表示する。更に具体的には、表示制御部２１２は、ハイオクボタン５１３、レギュラーボタン５１４及び軽油ボタン５１５を表示する。また、表示制御部２１２は、前回の給油における油種ＳＬに対応するレギュラーボタン５１４を強調表示する。したがって、ユーザーは前回の給油における油種ＳＬを容易に選択できる。
【００６４】
なお、本発明の実施形態では、選択部１１３が前回の第１給油条件ＣＳ１を選択するが、本発明はこれに限定されない。選択部１１３が過去の１回の第１給油条件ＣＳ１を選択すればよい。例えば、選択部１１３が前々回の第１給油条件ＣＳ１を選択してもよい。また、例えば、選択部１１３が所定期間前の第１給油条件ＣＳ１を選択してもよい。所定期間は、例えば１０日でもよいし、１箇月でもよいし、３箇月でもよい。
【００６５】
また、本発明の実施形態では、表示制御部２１２は、レギュラーボタン５１４を太枠表示するが、本発明はこれに限定されない。表示制御部２１２が、レギュラーボタン５１４を強調表示すればよい。例えば、表示制御部２１２が、レギュラーボタン５１４を他のボタン（ハイオクボタン５１３及び軽油ボタン５１５）よりも大きく表示してもよい。また、例えば表示制御部２１２が、レギュラーボタン５１４を他のボタン（ハイオクボタン５１３及び軽油ボタン５１５）と相違する色で表示してもよい。具体的には、表示制御部２１２が、ハイオクボタン５１３及び軽油ボタン５１５の各々をモノクロで表示し、レギュラーボタン５１４を赤色で表示してもよい。
【００６６】
次に、図２〜図５を参照して、第１制御部１１及び第２制御部２１の処理について更に説明する。図５は、給油量選択画面５２０の一例を示す画面図である。図５に示すように、給油量選択画面５２０は、タイトル表示部５２１と、説明表示部５２２と、満タンボタン５２３と、給油量指定ボタン５２４と、金額指定ボタン５２５と、備考表示部５２６とを含む。給油量選択画面５２０は、表示制御部２１２によってディスプレイ２３に表示される。
【００６７】
タイトル表示部５２１には、画面のタイトルが表示される。具体的には、タイトル表示部５２１には、「給油量選択画面」と表示される。
【００６８】
説明表示部５２２には、操作方法に関する説明が表示される。具体的には、説明表示部５２２には、「給油量を選択してください。」と表示される。
【００６９】
満タンボタン５２３は、満タンになるまで給油する場合に、ユーザーによってタッチされる。ユーザーによって満タンボタン５２３がタッチされた場合には、決定部２１４は、給油量ＱＬを満タンに決定する。そして、給油制御部２１５は、給油機４に対して、満タンになるまで給油レバーから給油するように指示する。
【００７０】
給油量指定ボタン５２４は、ユーザーが給油量ＱＬを指定する場合にユーザーによってタッチされる。給油量指定ボタン５２４がユーザーによってタッチされた場合には、表示制御部２１２は、給油量ＱＬを入力するための画面を表示する。給油量ＱＬが入力された場合には、決定部２１４は、給油量ＱＬを、入力された給油量ＱＬに決定する。そして、給油制御部２１５は、給油機４に対して、給油量ＱＬだけ給油レバーから給油するように指示する。
【００７１】
金額指定ボタン５２５は、ユーザーが給油金額を指定する場合にユーザーによってタッチされる。金額指定ボタン５２５がユーザーによってタッチされた場合には、表示制御部２１２は、金額を入力するための画面を表示する。金額が入力された場合には、決定部２１４は、給油量ＱＬを、入力された金額から算出して決定する。具体的には、決定部２１４は、入力された金額を油種ＳＬに対応する単価で割ることによって、給油量ＱＬを算出する。そして、給油制御部２１５は、給油機４に対して、給油量ＱＬだけ給油レバーから給油するように指示する。
【００７２】
備考表示部５２６には、画面に関する説明が表示される。具体的には、備考表示部５２６には、「前回選択したものは太枠で表示されています。」と表示される。前回は、満タンになるまで給油したため、満タンボタン５２３が太枠で表示されている。
【００７３】
給油量選択画面５２０を表示するために第２制御部２１が実行する処理について以下に説明する。表示制御部２１２は、ディスプレイ２３に複数の給油条件ＣＳを示す第１画像Ｍ１を表示する。給油量選択画面５２０では、複数の給油条件ＣＳは、複数の給油量ＱＬを示す。給油量選択画面５２０では、第１画像Ｍ１は、満タンボタン５２３、給油量指定ボタン５２４及び金額指定ボタン５２５に対応する。そして、表示制御部２１２は、第２画像Ｍ２を強調表示する。第２画像Ｍ２は、第１画像Ｍ１に示された複数の給油条件ＣＳのうちの選択部１１３が選択した第１給油条件ＣＳ１に対応する。給油量選択画面５２０では、第２画像Ｍ２は、満タンボタン５２３に対応する。選択部１１３が選択した第１給油条件ＣＳ１は、前回の第１給油条件ＣＳ１を示す。「強調表示」は、太枠表示に対応する。
【００７４】
以上、図２〜図５を参照して説明したように、本発明の実施形態では、表示制御部２１２は、給油量ＱＬを示す複数の第１画像Ｍ１を表示する。具体的には、表示制御部２１２は、満タンボタン５２３、給油量指定ボタン５２４及び金額指定ボタン５２５を表示する。また、表示制御部２１２は、前回の給油における給油量ＱＬに対応する満タンボタン５２３を強調表示する。したがって、ユーザーは前回の給油における給油量ＱＬを容易に選択できる。
【００７５】
次に、図２〜図６を参照して、第１制御部１１及び第２制御部２１の処理について更に説明する。図６は、支払方法選択画面５３０の一例を示す画面図である。図６に示すように、支払方法選択画面５３０は、タイトル表示部５３１と、説明表示部５３２と、現金ボタン５３３と、カードボタン５３４と、電子マネーボタン５３５と、備考表示部５３６とを含む。支払方法選択画面５３０は、表示制御部２１２によってディスプレイ２３に表示される。
【００７６】
タイトル表示部５３１には、画面のタイトルが表示される。具体的には、タイトル表示部５３１には、「支払方法選択画面」と表示される。
【００７７】
説明表示部５３２には、操作方法に関する説明が表示される。具体的には、説明表示部５３２には、「支払方法を選択してください。」と表示される。
【００７８】
現金ボタン５３３は、現金で支払う場合に、ユーザーによってタッチされる。ユーザーによって現金ボタン５３３がタッチされた場合には、決定部２１４は、支払方法ＭＬを現金に決定する。そして、給油制御部２１５は、給油機４に対して、給油完了後に現金の支払いを受け付けるように指示する。
【００７９】
カードボタン５３４は、クレジットカードによって支払う場合にユーザーによってタッチされる。カードボタン５３４がユーザーによってタッチされた場合には、決定部２１４は、支払方法ＭＬをクレジットカードに決定する。そして、表示制御部２１２は、クレジットカードをカードリーダ２５に挿入するようにユーザーに促す旨をディスプレイ２３に表示する。
【００８０】
電子マネーボタン５３５は、電子マネーによって支払う場合にユーザーによってタッチされる。電子マネーボタン５３５がユーザーによってタッチされた場合には、決定部２１４は、支払方法ＭＬを電子マネーに決定する。そして、表示制御部２１２は、電子マネーを受け付ける旨を表示する。例えば、表示制御部２１２は、電子マネーでの決済が可能なカードをカードリーダ２５に挿入するようにユーザーに促す旨をディスプレイ２３に表示する。
【００８１】
備考表示部５３６には、画面に関する説明が表示される。具体的には、備考表示部５３６には、「前回選択したものは太枠で表示されています。」と表示される。前回は、クレジットカードで支払ったため、カードボタン５３４が太枠で表示されている。
【００８２】
支払方法選択画面５３０を表示するために第２制御部２１が実行する処理について以下に説明する。表示制御部２１２は、ディスプレイ２３に複数の給油条件ＣＳを示す第１画像Ｍ１を表示する。支払方法選択画面５３０では、複数の給油条件ＣＳは、複数の支払方法ＭＬを示す。支払方法選択画面５３０では、第１画像Ｍ１は、現金ボタン５３３、カードボタン５３４及び電子マネーボタン５３５に対応する。そして、表示制御部２１２は、第２画像Ｍ２を強調表示する。第２画像Ｍ２は、第１画像Ｍ１に示された複数の給油条件ＣＳのうちの選択部１１３が選択した第１給油条件ＣＳ１に対応する。給油量選択画面５２０では、第２画像Ｍ２は、カードボタン５３４に対応する。選択部１１３が選択した第１給油条件ＣＳ１は、前回の第１給油条件ＣＳ１を示す。「強調表示」は、太枠表示に対応する。
【００８３】
以上、図２〜図６を参照して説明したように、本発明の実施形態では、表示制御部２１２は、支払方法ＭＬを示す複数の第１画像Ｍ１を表示する。具体的には、表示制御部２１２は、現金ボタン５３３、カードボタン５３４及び電子マネーボタン５３５を表示する。また、表示制御部２１２は、前回の給油における支払方法ＭＬに対応するカードボタン５３４を強調表示する。したがって、ユーザーは前回の給油における支払方法ＭＬを容易に選択できる。
【００８４】
なお、本発明の実施形態では、支払方法ＭＬが、現金、クレジットカード、及び電子マネーであるが、本発明はこれに限定されない。支払方法ＭＬが、複数の支払い方法を含めばよい。例えば、支払方法ＭＬが、現金、クレジットカード、及び電子マネーに加えて、プリペイドカードを含んでもよい。また、例えば、支払方法ＭＬが、現金、及びクレジットカードに限定されてもよい。
【００８５】
次に、図２〜図８を参照して、第１制御部１１及び第２制御部２１の処理について更に説明する。図７及び図８は、第１制御部１１及び第２制御部２１の処理の一例を示すフローチャートである。なお、図７及び図８では、ユーザー情報ＵＪが車両の車番情報ＪＮである場合について説明する。
図７に示すように、まず、ステップＳ１０１において、第１取得部１１１は、カメラ３から車番画像ＭＮの画像情報を取得する。
次に、ステップＳ１０３において、車番生成部１１２は、第１取得部１１１が取得した画像情報に対して画像処理を実行し、車番情報ＪＮを生成する。
次に、ステップＳ１０５において、選択部１１３は、車番情報ＪＮに対応する第１給油条件情報ＣＳ１Ｊが条件記憶部１１４に記憶されているか否かを判定する。
車番情報ＪＮに対応する第１給油条件情報ＣＳ１Ｊが条件記憶部１１４に記憶されていないと選択部１１３が判定した場合（ステップＳ１０５でＮＯ）には、処理がステップＳ１１３に進む。車番情報ＪＮに対応する第１給油条件情報ＣＳ１Ｊが条件記憶部１１４に記憶されていると選択部１１３が判定した場合（ステップＳ１０５でＹＥＳ）には、処理がステップＳ１０７に進む。
【００８６】
そして、ステップＳ１０７において、選択部１１３は、車番情報ＪＮに対応する複数の第１給油条件情報ＣＳ１Ｊの中から１つの第１給油条件情報ＣＳ１Ｊを選択する。例えば、選択部１１３は、前回の第１給油条件情報ＣＳ１Ｊを選択する。
次に、ステップＳ１０９において、表示制御部２１２は、前回の第１給油条件ＣＳ１をディスプレイ２３に表示する。具体的には、表示制御部２１２は、図３に示す前回条件表示画面５００をディスプレイ２３に表示する。
次に、ステップＳ１１１において、決定部２１４は、前回条件表示画面５００を介して、前回の第１給油条件ＣＳ１と同一の給油条件ＣＳで給油するか否かを判定する。具体的には、決定部２１４は、前回条件表示画面５００のはいボタン５０３がタッチされたか、いいえボタン５０４がタッチされたかを判定する。
前回の第１給油条件ＣＳ１と同一の給油条件ＣＳで給油すると決定部２１４が判定した場合（ステップＳ１１１でＹＥＳ）には、処理が図８のステップＳ１１９に進む。前回の第１給油条件ＣＳ１と同一の給油条件ＣＳで給油しないと決定部２１４が判定した場合（ステップＳ１１１でＮＯ）には、処理がステップＳ１１３に進む。
【００８７】
次に、ステップＳ１１３において、条件受付部２１３がタッチパネル２４に対するユーザーの操作を受け付けて、決定部２１４は、操作に基づいて油種ＳＬを決定する。具体的には、表示制御部２１２が、図４に示す油種選択画面５１０を表示し、条件受付部２１３が、ハイオクボタン５１３、レギュラーボタン５１４及び軽油ボタン５１５に対するユーザーの操作を受け付ける。そして、決定部２１４は、ユーザーがタッチしたボタンに応じて、油種ＳＬを決定する。
次に、ステップＳ１１５において、条件受付部２１３がタッチパネル２４に対するユーザーの操作を受け付けて、決定部２１４は、操作に基づいて給油量ＱＬを決定する。具体的には、表示制御部２１２が、図５に示す給油量選択画面５２０を表示し、条件受付部２１３が、満タンボタン５２３、給油量指定ボタン５２４及び金額指定ボタン５２５に対するユーザーの操作を受け付ける。そして、決定部２１４は、ユーザーがタッチしたボタンに応じて、給油量ＱＬを決定する。
次に、ステップＳ１１７において、条件受付部２１３がタッチパネル２４に対するユーザーの操作を受け付けて、決定部２１４は、操作に基づいて支払方法ＭＬを決定する。具体的には、表示制御部２１２が、図６に示す支払方法選択画面５３０を表示し、条件受付部２１３が、現金ボタン５３３、カードボタン５３４及び電子マネーボタン５３５に対するユーザーの操作を受け付ける。そして、決定部２１４は、ユーザーがタッチしたボタンに応じて、支払方法ＭＬを決定する。
【００８８】
ステップＳ１１１でＹＥＳの場合、又はステップＳ１１７の処理が終了した場合には、ステップＳ１１９において、給油制御部２１５は、給油処理を実行する。「給油処理」は、給油機４を介して、決定部２１４が決定した油種ＳＬの油を、決定部２１４が決定した給油量ＱＬだけ車両に給油する処理を示す。
次に、ステップＳ１２１において、給油制御部２１５は、給油処理が完了したか否かを判定する。
給油処理が完了していないと給油制御部２１５が判定した場合（ステップＳ１２１でＮＯ）には、処理がステップＳ１１９に戻る。給油処理が完了したと給油制御部２１５が判定した場合（ステップＳ１２１でＹＥＳ）には、処理がステップＳ１２３に進む。
そして、ステップＳ１２３において、第２制御部２１は、決済処理を実行する。具体的には、第２制御部２１は、決定部２１４が決定した支払方法ＭＬで決済処理を実行する。
次に、ステップＳ１２５において、第２制御部２１は、車番情報ＪＮと今回の第２給油条件ＣＳ２とを対応付けて条件記憶部１１４に記録して、処理が終了する。
【００８９】
以上、図２〜図８を参照して説明したように、本発明の実施形態では、選択部１０７は、複数の第１給油条件情報ＣＳ１Ｊの中から１つの第１給油条件情報ＣＳ１Ｊを選択する。決定部２１４は、１つの第１給油条件情報ＣＳ１Ｊに基づいて、第２給油条件ＣＳ２を決定する。したがって、更に適切な第２給油条件ＣＳ２を決定できる。
【００９０】
なお、本発明の実施形態では、選択部１０７が、複数の第１給油条件情報ＣＳ１Ｊの中から前回の第１給油条件ＣＳ１を示す第１給油条件情報ＣＳ１Ｊを選択するが、本発明はこれに限定されない。選択部１０７が、複数の第１給油条件情報ＣＳ１Ｊの中から１つの第１給油条件情報ＣＳ１Ｊを選択すればよい。例えば、選択部１０７が、ユーザーの操作に応じて、１つの第１給油条件情報ＣＳ１Ｊを選択してもよい。この場合には、ユーザーの所望する第１給油条件ＣＳ１を選択できる。したがって、適切な第２給油条件ＣＳ２を容易に決定できる。
【００９１】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００９２】
（１）図１を参照して説明したように、本発明の実施形態では、給油制御システム１００が第１制御部１１と第２制御部２１とを備えるが、本発明はこれに限定されない。給油制御システム１００が第１制御部１１及び第２制御部２１の少なくとも一方を備えればよい。例えば、給油制御システム１００が第１制御部１１を備え、第２制御部２１を備えない場合には、第１制御部１１が、第２端末装置２のディスプレイ２３、タッチパネル２４及びカードリーダ２５と給油機４とを制御する。また、例えば、給油制御システム１００が第２制御部２１を備え、第１制御部１１を備えない場合には、第２制御部２１がカメラ３と通信可能に接続される。
【００９３】
（２）図１を参照して説明したように、本発明の実施形態では、第２端末装置２が第２端末装置２Ａと、第２端末装置２Ｂと、第２端末装置２Ｃとを含むが、本発明はこれに限定されない。第２端末装置２が少なくとも１台の端末装置を含めばよい。
【産業上の利用可能性】
【００９４】
本発明は、給油制御装置、及び給油制御システムを提供するものであり、産業上の利用可能性を有する。
【符号の説明】
【００９５】
１００    給油制御システム
１    第１端末装置
１１    第１制御部（給油制御装置の一部）
１１Ａ    プロセッサ
１１Ｂ    記憶装置
１１１    第１取得部
１１２    車番生成部
１１３    選択部
１１４    条件記憶部
１２    操作部
１３    ディスプレイ
２、２Ａ、２Ｂ、２Ｃ    第２端末装置
２１    第２制御部（給油制御装置の一部）
２１Ａ    プロセッサ
２１Ｂ    記憶装置
２１１    第２取得部
２１２    表示制御部
２１３    条件受付部
２１４    決定部
２１５    給油制御部
２２    操作部
２３    ディスプレイ
２４    タッチパネル
２５    カードリーダ
３    カメラ
４、４Ａ、４Ｂ、４Ｃ    給油機
ＵＪ    ユーザー情報
ＵＤＪ    ユーザー識別情報
ＣＤＪ    カード識別情報
ＮＪ    車番情報
ＭＮ    車番画像
ＣＳＪ１    第１給油条件情報
ＣＳ    給油条件
ＣＳ１    第１給油条件
ＣＳ２    第２給油条件
ＳＬ    油種
ＱＬ    給油量
ＭＬ    支払方法
【図１】
2020019515.tif 000003
【図２】
2020019515.tif 000004
【図３】
2020019515.tif 000005
【図４】
2020019515.tif 000006
【図５】
2020019515.tif 000007
【図６】
2020019515.tif 000008
【図７】
2020019515.tif 000009
【図８】
2020019515.tif 000010